(57)【要約】【課題】表面に凹凸のある各種の物体、例えば、キーボードに配列されたキースイッチのキートップ上のダストを除去可能であることは勿論のこと、互いに隣り合うキースイッチとキースイッチとの間に形成された溝内に付着したダストも十分に除去することが可能な掃除具を提供する。【解決手段】物体上のダストを除去する掃除具であって、物体と対向して配置される面に、可撓性があり、弾性変形作用により負荷が加わって変形しても該負荷を取り除くと元の状態に復帰するブレードを階段状に突出するように複数形成し、上記ブレードを被覆するように拭き布を取り付ける取り付け機構を備えるようにした。【選択図】        図１
2010227481.tif 000002
【特許請求の範囲】
【請求項１】
物体上のダストを除去する掃除具において、
物体と対向して配置される面に、可撓性があり、弾性変形作用により負荷が加わって変形しても該負荷を取り除くと元の状態に復帰するブレードを階段状に突出するように複数形成してなり、
前記ブレードを被覆するように拭き布を取り付ける取り付け機構を備えた
ことを特徴とする掃除具。
【請求項２】
請求項１に記載の掃除具において、
前記ブレードは、涙滴形状を備えた柱状体形状を備えた
ことを特徴とする掃除具。
【請求項３】
請求項１または２のいずれか１項に記載の掃除具において、
前記ブレードは、前記涙滴形状の先端が円形に丸まっている前端部と先端が先鋭に引き伸ばされている側を後端部とがそれぞれ同一方向を向くように直列的に配置される３個のブレードよりなるブレード列を９０度間隔で十字型状に４列配置して構成されているユニットを、格子模様が形成されるように連続的に配置した
ことを特徴とする掃除具。
【発明の詳細な説明】
【技術分野】
【０００１】
本発明は、掃除具に関し、さらに詳細には、パーソナルコンピューターやワードプロセッサーなどの各種装置のキーボードあるいは各種製品のリモコンやスイッチ盤などのように、表面に凹凸のある各種の物体上に堆積したり付着したりした塵埃や汚れなどの清掃対象物（本明細書においては、「各種の物体上に堆積したり付着したりした塵埃や汚れなどの清掃対象物」を、単に「ダスト」と適宜に称する。）を、当該物体上から除去して当該物体を清掃除菌する際に用いて好適な掃除具に関する。
【背景技術】
【０００２】
近年、パーソナル・コンピューターやワードプロセッサーなどのようなキーボードを備えた各種装置が、オフィスは勿論のこと、家庭などにおいても屡々用いられるようになっている。
【０００３】
一般に、こうしたキーボード上のダストを掃除する際には、雑巾などを用いてキーボードを拭くことにより、キーボード上のダストを除去するようにしていた。
【０００４】
しかしながら、単に雑巾などを用いてキーボードを拭くだけでは、キーボードに配列されたキースイッチの上面（キートップ）上のダストを除去することは可能ではあるが、互いに隣り合うキースイッチとキースイッチとの間に形成された溝内に付着したダストを十分に除去することができないという問題点があった。
【０００５】
このため、互いに隣り合うキースイッチとキースイッチとの間に形成された溝内に付着したダストを掃除するために、綿棒などを用いて当該ダストを除去するなどの別途の作業が必要になるという更なる問題点もあった。
【０００６】
なお、こうした問題点はキーボードに限られるものではなく、各種製品のリモコンやスイッチ盤などのような表面に凹凸のある物体に関しては、同様な問題点が指摘されていた。
【０００７】
本願出願人が特許出願のときに知っている先行技術は、文献公知発明に係る発明ではないため、本願明細書に記載すべき先行技術文献情報はない。
【図面の簡単な説明】
【０００８】
【図１】図１（ａ）は本発明による掃除具の上面斜視説明図であり、図１（ｂ）は本発明による掃除具の底面斜視説明図であり、図１（ｃ）は本発明による掃除具をケースとインナーとに分離した状態を示す説明図である。
【図２】図２（ａ）（ｂ）（ｃ）（ｄ）（ｅ）は本発明による掃除具に清掃用の拭き布として四角形状の不織布を取り付ける手順を「図２（ａ）→図２（ｂ）→図２（ｃ）→図２（ｄ）→図２（ｅ）」の順番で連続的に示す説明図であり、図２（ａ）はテーブルの上に置かれた不織布上にインナーを載せて当該インナーに形成された切り欠き部に当該不織布の一つの角部を挟み込んだ状態を示す説明図であり、図２（ｂ）はインナーに形成された切り欠き部に不織布の３つの角部を挟み込んだ状態を示す説明図であり、図２（ｃ）はインナーに形成された切り欠き部に不織布の４つの角部を全て挟み込んだ状態を示す説明図であり、図２（ｄ）は切り欠き部に不織布の４つの角部を全て挟み込んだインナーをケースに収容した状態を示す底面斜視説明図であり、図２（ｅ）は切り欠き部に不織布の４つの角部を全て挟み込んだインナーをケースに収容した状態を示す上面斜視説明図である。
【図３】図３（ａ）（ｂ）は本発明による掃除具のケースの説明図であり、図３（ａ）は底面説明図であり、図３（ｂ）は図３（ａ）のＡ矢視側面図である。
【図４】図４（ａ）（ｂ）（ｃ）は本発明による掃除具のインナーを上方部材と下方部材とに分解した際の当該上方部材を示す説明図であり、図４（ａ）は底面説明図であり、図４（ｂ）は図４（ａ）のＢ矢視側面説明図であり、図４（ｃ）は図４（ａ）のＣ−Ｃ線による断面説明図である。
【図５】図５（ａ）（ｂ）（ｃ）は本発明による掃除具のインナーを上方部材と下方部材とに分解した際の当該下方部材を示す説明図であり、図５（ａ）は底面説明図であり、図５（ｂ）は上面説明図であり、図５（ｃ）は図５（ａ）のＤ矢視側面説明図であり、図５（ｄ）は図５（ａ）のＥ−Ｅ線による断面説明図である。
【図６】図６（ａ）（ｂ）は本発明による掃除具のインナーの下方部材の要部拡大説明図であり、図６（ａ）は図５（ａ）における符号Ｆで示す破線で囲んだ領域の拡大説明図であり、図６（ｂ）は図６（ａ）に示す領域の図５（ｃ）に対応する図６（ａ）のＧ矢視側面説明図である。
【図７】図７は、ケースにインナーを組み付けた状態の本発明による掃除具の断面説明図である。
【図８】図８（ａ）（ｂ）は、不織布とキーボードとを当接するとともに当該キーボードに対して本発明による掃除具を押し当てるようにして、当該キーボード上で本発明による掃除具を擦過させ、当該キーボードを清掃する状態を表す概念説明図であり、図８（ａ）は本発明による掃除具をキーボードに押し当てる前のブレードの状態を示す概念説明図であり、図８（ｂ）は本発明による掃除具をキーボードに押し当てたときのブレードの状態を示す概念説明図である。
【図９】図９は、本願発明者による実験結果をまとめた図表である。
【図１０】図１０（ａ）（ｂ）（ｃ）は本発明による掃除具のインナーの上方部材の変形例を示す説明図であり、図１０（ａ）は底面説明図であり、図１０（ｂ）は図１０（ａ）のＨ矢視側面説明図であり、図１０（ｃ）は図１０（ａ）のＩ−Ｉ線による断面説明図である。
【図１１】図１１（ａ）（ｂ）（ｃ）（ｄ）（ｅ）は図１０に示すインナーに不織布を取り付ける手順を「図１１（ａ）→図１１（ｂ）→図１１（ｃ）→図１１（ｄ）→図１１（ｅ）」の順番で連続的に示す説明図であり、図１１（ａ）はインナーの上方部材と下方部材とを分離した状態を示す説明図であり、図１１（ｂ）はテーブルの上に置かれた不織布上にインナーを載せて当該インナーの上方部材を上方にめくり上げた状態を示す説明図であり、図１１（ｃ）はめくり上げたインナーの上方部材と下方部材との間に不織布の縁部を配置する状態を示す説明図であり、図１１（ｄ）はめくり上げたインナーの上方部材を下ろして当該上方部材と下方部材との間で不織布を挟み込んだ状態を示す説明図であり、図１１（ｅ）は上方部材と下方部材との間に不織布を挟み込んだインナーをケースに収容した状態を示す底面斜視説明図である。
【図１２】図１２は本発明による掃除具のインナーの上方部材の変形例を示す説明図であり、図４（ｂ）に対応する側面説明図である。
【図１３】図１３（ａ）（ｂ）（ｃ）（ｄ）は図１２に示すインナーに不織布を取り付ける手順を「図１３（ａ）→図１３（ｂ）→図１３（ｃ）→図１３（ｄ）」の順番で連続的に示す説明図であり、図１３（ａ）はテーブルの上に置かれた不織布上にインナーを載せて当該インナーに形成された切り欠き部に当該不織布の一つの角部を挟み込んだ状態を示す説明図であり、図１３（ｂ）はインナーに形成された切り欠き部に不織布の２つの角部を挟み込んだ状態を示す説明図であり、図１３（ｃ）はインナーに形成された切り欠き部に不織布の３つの角部を挟み込んだ状態を示す説明図であり、図１３（ｄ）はインナーに形成された切り欠き部に不織布の４つの角部を全て挟み込んだ状態を示す説明図である。
【発明の概要】
【発明が解決しようとする課題】
【０００９】
本発明は、上記したような従来の技術の有する種々の問題点に鑑みてなされたものであり、その目的とするところは、表面に凹凸のある各種の物体に付着したダストを当該物体から除去することが可能な掃除具を提供しようとするものである。
【００１０】
特に、本発明の目的とするところは、キーボードに配列されたキースイッチのキートップ上のダストを除去可能であることは勿論のこと、互いに隣り合うキースイッチとキースイッチとの間に形成された溝内に付着したダストも十分に除去することが可能な掃除具を提供しようとするものである。
【課題を解決するための手段】
【００１１】
上記目的を達成するために、本発明による掃除具は、キーボード上のダストを除去する掃除具において、キーボードのキースイッチと対向して配置される面に、可撓性があり、弾性変形作用により負荷が加わって変形しても該負荷を取り除くと元の状態に復帰するブレードを階段状に突出するように複数形成してなり、上記ブレードを被覆するように拭き布を取り付ける取り付け機構を備えたるようにした。
【００１２】
また、本発明による掃除具は、上記した本発明による掃除具において、上記ブレードが、涙滴形状を備えた柱状体形状を備えるようにしたものである。
【００１３】
また、本発明による掃除具は、上記した本発明による掃除具において、上記ブレードは、上記涙滴形状の先端が円形に丸まっている前端部と先端が先鋭に引き伸ばされている側を後端部とがそれぞれ同一方向を向くように直列的に配置される３個のブレードよりなるブレード列を９０度間隔で十字型状に４列配置して構成されているユニットを、格子模様が形成されるように連続的に配置するようにしたものである。
【発明の効果】
【００１４】
本発明は、以上説明したように構成されているので、表面に凹凸のある各種の物体に付着したダストを、当該物体から除去することが可能な掃除具を提供することができるという優れた効果を奏する。
【００１５】
また、本発明は、以上説明したように構成されているので、キーボードに配列されたキースイッチのキートップ上のダストを除去可能であることは勿論のこと、互いに隣り合うキースイッチとキースイッチとの間に形成された溝内に付着したダストも十分に除去することが可能な掃除具を提供することができるという優れた効果を奏する。
【発明を実施するための形態】
【００１６】
以下、添付の図面を参照しながら、本発明による掃除具の実施の形態の一例を詳細に説明するものとする。
【００１７】
なお、以下の説明においては、キーボードを清掃対象の物体として取り上げた場合について説明する。、
ここで、図１（ａ）は本発明による掃除具の上面斜視説明図であり、図１（ｂ）は本発明による掃除具の底面斜視説明図であり、図１（ｃ）は本発明による掃除具をケースとインナーとに分離した状態を示す説明図である。
【００１８】
また、図２（ａ）（ｂ）（ｃ）（ｄ）（ｅ）は本発明による掃除具に清掃用の拭き布として四角形状の不織布を取り付ける手順を「図２（ａ）→図２（ｂ）→図２（ｃ）→図２（ｄ）→図２（ｅ）」の順番で連続的に示す説明図であり、図２（ａ）はテーブルの上に置かれた不織布上にインナーを載せて当該インナーに形成された切り欠き部に当該不織布の一つの角部を挟み込んだ状態を示す説明図であり、図２（ｂ）はインナーに形成された切り欠き部に不織布の３つの角部を挟み込んだ状態を示す説明図であり、図２（ｃ）はインナーに形成された切り欠き部に不織布の４つの角部を全て挟み込んだ状態を示す説明図であり、図２（ｄ）は切り欠き部に不織布の４つの角部を全て挟み込んだインナーをケースに収容した状態を示す底面斜視説明図であり、図２（ｅ）は切り欠き部に不織布の４つの角部を全て挟み込んだインナーをケースに収容した状態を示す上面斜視説明図である。
【００１９】
さらに、図３（ａ）（ｂ）はケースの説明図であり、図３（ａ）は底面説明図であり、図３（ｂ）はＡ矢視側面図である。
【００２０】
さらにまた、図４（ａ）（ｂ）（ｃ）は本発明による掃除具のインナーを上方部材と下方部材とに分解した際の当該上方部材を示す説明図であり、図４（ａ）は底面説明図であり、図４（ｂ）は図４（ａ）のＢ矢視側面説明図であり、図４（ｃ）は図４（ａ）のＣ−Ｃ線による断面説明図である。
【００２１】
また、図５（ａ）（ｂ）（ｃ）は本発明による掃除具のインナーを上方部材と下方部材とに分解した際の当該下方部材を示す説明図であり、図５（ａ）は底面説明図であり、図５（ｂ）は上面説明図であり、図５（ｃ）は図５（ａ）のＤ矢視側面説明図であり、図５（ｄ）は図５（ａ）のＥ−Ｅ線による断面説明図である。
【００２２】
さらにまた、図６（ａ）（ｂ）はインナーの下方部材の要部拡大説明図であり、図６（ａ）は図５（ａ）における符号Ｆで示す破線で囲んだ領域の拡大説明図であり、図６（ｂ）は図６（ａ）に示す領域の図５（ｃ）に対応する図６（ａ）のＧ矢視側面説明図である。
【００２３】
また、図７は、ケースにインナーを組み付けた状態の本発明による掃除具の断面説明図である。
【００２４】
なお、上記した各図に示す数値は、本発明による掃除具の寸法の一例を示すものであり、「Ｒ」の付加されていない数値は長さを表し単位は「ｍｍ」であり、「Ｒ」の付加された数値は角度を表し単位は「°」である。
【００２５】
本発明による掃除具１０は、中空球体を半分に割ったようなボウル形状のケース１２と、略半球形状を備えたインナー１４とにより構成されている。
【００２６】
さらに、インナー１４は、中空球体を半分に割ったようなボウル形状の上方部材１６と、上方部材１６の円形開口端部１６ａを閉塞するようにして当該上方部材１６に取り付けられた下方部材１８とにより構成されている。
【００２７】
ここで、ケース１２は、インナー１４を構成する上方部材１６の略半球面を収容可能な大きさの略半球状の凹部１２ａを備えるように形成されている。
【００２８】
また、ケース１２の円形開口端部１２ｂには、インナー１４を凹部１２ａに収容した際に、インナー１４を構成する下方部材１８の縁部１８ａａ（後に詳述する。）と係合して、ケース１２からインナー１４が脱落することを防止する突起部１２ｃが設けられている。
【００２９】
この突起部１２ｃは、円形開口端部１２ｂから円形形状中心に向かって突出するようにして、等間隔を開けて４個配設されている。
【００３０】
なお、ケース１４は、各種の材料で形成するようにしてよいが、例えば、操作者がケース１４を手で持ったときに変形しない程度の硬度を備えた材料、例えば、アクリル樹脂などの硬質の合成樹脂、金属あるいは木材などにより形成することが好ましい。
【００３１】
次に、インナー１４について説明すると、インナー１４は、上記したように上方部材１６と下方部材１８とを係合させて構成されている。
【００３２】
ここで、上方部材１６は、全体が中空球体を半分に割ったようなボウル形状を備えており、略半球状の凹部１６ａの中心部位から略円筒形状を備えた下方部材嵌入部１６ｂが立設されている。
【００３３】
さらに、上方部材１６の円形開口端部１６ｃに隣接する縁部の周囲には、不織布を挟み込むための略十字型形状の切り欠き部１６ｄが、等間隔を開けて４箇所形成されている。
【００３４】
また、下方部材１８は、基部１８ａの底面１８ｂから突出形成されたブレード群２０を備えている。以下、このブレード群２０について詳細に説明する。
【００３５】
即ち、下方部材１８の基部１８ａの底面１８ｂにおいて、底面１８ｂからそれぞれ独立して突出形成されたブレード２２を複数用いてブレードユニット２４を構成し、このブレードユニット２４を複数用いてブレード群２０を構成している。
【００３６】
ここで、ブレード２２は、可撓性があり、弾性変形作用により負荷が加わって変形しても当該負荷を取り除くと元の状態に復帰するように形成されているとともに、底面視（図６（ａ）を参照する。）において、涙滴形状を備えた柱状体形状、即ち、横断面が涙滴形状の柱状体形状を備えている。
【００３７】
なお、本明細書においては、涙滴形状を備えたブレード２２において、先端が円形に丸まっている側を前端部２２ａと称し、先端が先鋭に引き伸ばされている側を後端部２２ｂと称することとする。
【００３８】
そして、ブレードユニット２４は、前端部２２ａと後端部２２ｂとがそれぞれ同一方向を向くように直列的に配置される３個のブレード２２よりなるブレード列２６を、９０度間隔で十字型状に４列配置して構成されている。
【００３９】
即ち、ブレードユニット２４は、１２個のブレード２２よりなるものであり、ブレード群２０は、底面視（図５（ａ）を参照する。）において、上記した１２個よりなるブレードユニット２４により格子模様が形成されるように、当該ブレードユニット２４を連続的に配置して構成されている。
【００４０】
ここで、ブレード列２６を構成する３個のブレード２２の突出長さは、ブレードユニット２４の中心位置Ｏ（図６（ａ）を参照する。）に最も隣接するブレード２２の突出長さＬ１が最も長く、突出長さＬ１の隣に位置するブレード２２の突出長さＬ２よりも、突出長さＬ１から最も離れて位置するブレード２２の突出長さＬ３の方が短くなるように設定されている。
【００４１】
即ち、各ブレード２２の突出長さは、中心位置Ｏに最も隣接するブレード２２から「Ｌ１＞Ｌ２＞Ｌ３」との関係となるように、その長さが階段状となるのように寸法設定されている。
【００４２】
一方、下方部材１８の基部１８ａの上面１８ｃには、上方部材１６の下方部材嵌入部１６ｂ内に嵌め込まれる円柱部１８ｄが突出形成されている。
【００４３】
この円柱部１８ｄを下方部材嵌入部１６ｂ内に嵌め込むことにより、下方部材１８と上方部材１６とが容易に分離されないように嵌合される。
【００４４】
なお、ブレード２２は、可撓性があり、負荷が加わって変形しても当該負荷を取り除くと元の状態に復帰する性質の材料、例えば、エラストマー、具体的には、加硫ゴムや熱硬化性樹脂系エラストマーなどの熱硬化性エラストマーや熱可塑性エラストマーなどにより形成することが好ましく、強度は、例えば、５０〜７０程度のものがよい。
【００４５】
また、インナー１４におけるブレード２２以外の部位については、ブレード２２と同一の材料により形成してもよいし、他の材料、例えば、硬質あるいは軟質の合成樹脂、金属あるいは木材などにより形成することができる。
【００４６】
なお、下方部材１８の基部１８ａの縁部１８ａａについては、ケース１４の円形開口端部１２ｂに形成された突起部１２ｃと係合させるために、弾性変形可能な材料により形成することが好ましい。
【００４７】
以上の構成において、上記した本発明による掃除具１０によりキーボードを清掃する場合には、まず、ケース１２からインナー１４を取り外し、図２（ａ）→図２（ｂ）→図２（ｃ）→図２（ｄ）→図２（ｅ）に示す手順で、清掃用の拭き布として四角形状の不織布１００を取り付ける。
【００４８】
なお、清掃用の拭き布として使用可能なものは、不織布に限られるものではない。即ち、本発明による掃除具１０に適用可能な拭き布としては、薄手のシート状やフィルム状のものであれば各種の材質のものを用いることができる。
【００４９】
即ち、テーブル１０２の上に置かれた不織布１００上に、当該不織布１００とブレード群２０とが当接するようにしてインナー１４を置き、インナー１４の上方部材１６に形成された切り欠き部１６ｄの一つに不織布１００の一つの角部を挟み込む（図２（ａ）を参照する。）。
【００５０】
同様に、不織布１００の残りの３つの角部を切り欠き部１６ｄにそれぞれ挟み込んでいき（図２（ｂ）を参照する。）、不織布１００の４つの角部の全てを切り欠き部１６ｄにそれぞれ挟み込む（図２（ｃ）を参照する。）。
【００５１】
次に、切り欠き部１６ｄに不織布の４つの角部を全て挟み込んだインナー１４の上方部材１６の略半球面が凹部１２ａ内に位置するようにして、インナー１４をケース１２に取り付ける（図２（ｄ）（ｅ）を参照する。）。
【００５２】
そして、インナー１４をケース１２に取り付ける際には、ケース１２の突起部１２ｃにより下方部材１８の基部１８ａの縁部１８ａａにおける底面１８ｂ側が押さえられて、これによりインナー１４とケース１２とを係合し、ケース１２からインナー１４が脱落することを防止するようにする。
【００５３】
上記のようにして、掃除具１０に不織布１００を取り付けた後に、操作者はケース１２を手で把持し、不織布１００とキーボードとを当接するとともに当該キーボードに対して掃除具１０を押し当てるようにして、当該キーボード上で掃除具１０を擦過する。
【００５４】
ここで、図８（ａ）（ｂ）には、不織布１００とキーボード２００とを当接するとともに当該キーボード２００に対して掃除具１０を押し当てるようにして、当該キーボード２００上で掃除具１０を擦過させ、当該キーボード２００を清掃する状態を表す概念説明図が示されており、図８（ａ）は掃除具１０をキーボード２００に押し当てる前のブレード２２の状態を示す概念説明図であり、図８（ｂ）は掃除具１０をキーボード２００に押し当てたときのブレード２２の状態を示す概念説明図である。
【００５５】
この図８（ａ）（ｂ）を参照しながら説明すると、掃除具１０を用いた清掃によれば、キーボード２００を構成するキースイッチ２０２のキートップ２０２ａについては、操作者がキーボード２００に対して掃除具１０を押圧するように擦過させることにより、横断面が涙滴形状の柱状体形状を備えている各ブレード２２が、それぞれ多方向に弾性変形して、キートップ２０２ａに対して不織布１００が広範囲に当接するようになるので、効率よくダストを除去することができる。
【００５６】
また、キースイッチ２０２の側面２０２ｂや互いに隣り合うキースイッチ２０２間の溝部２０４については、図８に示すように突出長さが階段状に形成されたブレード２２が、操作者がキーボード２００に対して掃除具１０を押圧するようにして擦過することにより屈曲して、ブレード２２が溝部２０４内で複雑に折れ曲がり応力が生じる。
【００５７】
これにより、不織布１００がキースイッチ２０２の側面２０２ｂや溝部２０４の底部２０４ａに効率良く押し付けられるようになって、側面２０２ｂは底部２０４ａに付着したりなどしている溝部２０４内のダストを効率よく除去することができる。
【００５８】
ここで、図９には、本願発明者による実験結果をまとめた図表が示されているが、この実験に用いた掃除具１０としては、図３乃至図７に記載された数値の寸法を備えたものを用いた。
【００５９】
また、実験対象のキーボードとしては、互いに隣り合うキースイッチ間の溝部の深さが深い、所謂、デスクトップ型パーソナルコンピューター（デスクトップＰＣ）のキーボート（実験対象の溝部の深さは１１ｍｍであった。）と、互いに隣り合うキースイッチ間の溝部の深さが浅い、所謂、ノート型パーソナルコンピューター（ノートＰＣ）のキーボート（実験対象の溝部の深さは２ｍｍであった。）とを用いた。
【００６０】
そして、これらのキーボード上に存在するダストとしては、ゴミ類を疑似したパン粉と手脂類を疑似した水性絵具とを用いた。
【００６１】
次に、実験の概要について説明すると、キーボード上にパン粉を散布あるいは水性絵具を塗布し、キーボード上で不織布１００を取り付けた掃除具１０を一方向に移動する動作を行い、パン粉あるいは水性絵具の除去の状態を目視により確認して清掃状態を評価した。
【００６２】
即ち、キーボード上に散布したパン粉あるいはキーボード上に塗布した水性絵具の量に対して、不織布１００に付着した量とキーボード上に残留した量とを目視により確認し、完全に除去された場合を除去率１００％としておおよその除去率を求めた。
【００６３】
なお、本実験においては、掃除具１０を一方向に１回移動する操作を１回の動作とカウントし、３回の動作を行って清掃状態を評価した。
【００６４】
こうした実験の結果、図９の図表に示すように、３回の動作を行うと、ほぼ完璧な清掃効果が見られた。
【００６５】
即ち、掃除具１０におけるインナー１４の下部部材１８に設けたブレード２２の弾力性・柔軟性の効果により、キースイッチにおけるキートップの凹所や側面に不織布をフィットさせて効果的にダストを拭き上げることができるとともに、キースイッチ間の溝部から効果的にダストを掃き出すことができるようになった。
【００６６】
なお、掃除具１０に取り付けた不織布１００と同一の不織布を手で把持し、不織布のみを用いてキーボードを清掃したところ、不織布がキースイッチ間の溝部内に十分に届かずに、掃除具１０を用いた場合と比較すると、キースイッチ間の溝部内における清掃漏れが著しく目立った。
【００６７】
また、不織布を手で把持してキーボードを清掃すると、不織布の中で手で押さえられた部位のみがキーボードに対して強い圧力で当接され、不織布のその他の部位はキーボードに対して強い圧力で当接されないため、掃除具１０を用いた場合と比較すると、１回の動作で清掃できる面積が著しく狭かった。
【００６８】
さらに、不織布を手で把持してキーボードを清掃する場合には、キースイッチの上下動が手に直接伝わるため、不織布がキースイッチに引っかかって撚れやすものであった。
【００６９】
このため、不織布を手で把持してキーボードの全面を清掃する際には、清掃し難く手間がかかるものであったが、不織布を掃除具１０に取り付けて清掃する場合には、キーボードの全面を簡単に短時間で清掃することができた。
【００７０】
なお、不織布を手で直接把持すると、不織布を通して汚れが手についてしまうという問題点があるが、掃除具１０を用いた場合にはそのようなことはない。
【００７１】
なお、上記した実施の形態は、以下の（１）乃至（８）に示すように変形することができるものである。
【００７２】
（１）  インナーの上方部材は、上記した実施の形態において説明した構成に限られるものでなく、例えば、図１０（ａ）（ｂ）（ｃ）に示す構造を備えた上方部材を用いてもよい。
【００７３】
上記において説明した上方部材１６と図１０（ａ）（ｂ）（ｃ）に示す上方部材１６’とを比較すると、上方部材１６’が切り欠き部１６ｄを備えていない点でのみ、両者は異なる。
【００７４】
この上方部材１６’をインナーに用いて不織布を取り付けるには、図１１（ａ）→図１１（ｂ）→図１１（ｃ）→図１１（ｄ）→図１１（ｅ）に示す手順で不織布１００を取り付ければよい。
【００７５】
即ち、テーブルの上に置かれた不織布１００上にインナーを載せて、当該インナーの上方部材１６’の半球面部位１６’’を上方に一旦めくり上げる。
【００７６】
それから、半球面部位１６’’と下方部材との間に不織布１００の外周縁部を配置させてから、めくり上げた半球面部位１６’’を下ろして、上方部材１６’’と下方部材との間で不織布を挟み込むものである。
【００７７】
（２）  上記した実施の形態においては、不織布１００を挟み込む略十字型形状の切り欠き部１６ｄの切り欠き形状を直線状に形成したが、これに限られるものではないことは勿論である。例えば、不織布１００を挟み込む略十字型形状の切り欠き部の形状の一部または全部を、鋸歯形状に形成してもよい。図１２には、不織布１００を挟み込む略十字型形状の切り欠き部の形状の一部を、鋸歯形状１６０ｄにした例が示されている。そして、図１３（ａ）（ｂ）（ｃ）（ｄ）には、不織布１００を挟み込む略十字型形状の切り欠き部の形状の全部を鋸歯形状１６０ｄにしたインナーに、不織布１００を取り付ける手順が示されており、上記した実施の形態と同様な手順で不織布１００を取り付ければよい。
【００７８】
（３）  上記した実施の形態においては、ケース１２ならびにインナー１４を略半球面を備えたボウル状に形成したが、これに限られるものではないことは勿論であり、例えば、略半楕円球面を備えるようにしたり、略多角形面を備えるようにしてもよく、任意の形状に構成することができる。
【００７９】
（４）  上記した実施の形態においては、ケース１２ならびにインナー１４の材料を示したが、上記において示した材料は例示に過ぎないものであり、設計に応じて任意の材料を用いてよい。
【００８０】
（５）  上記した実施の形態においては、インナーを上方部材と下方部材とに分割して構成したが、これに限られるものではなく、上方部材と下方部材とを一体成形してもよい。
【００８１】
（６）  上記した実施の形態においては、ブレード２２により３段の階段状のブレード列２６を構成するようにしたが、これに限られるものではないことは勿論であり、階段状のブレード列の段数は２段でもよいし、あるいは、４段以上の段数でもよい。
【００８２】
（７）  上記した実施の形態においては、ブレード２２は、横断面が涙滴形状の柱状体形状を備えているものとしたが、これに限られるものではないことは勿論であり、例えば、横断面が三角形、四角形、五角形以上の多角形、円形あるいは楕円形など、各種の形状を備えるようにしてもよい。
【００８３】
（８）  上記した実施の形態ならびに上記した（１）乃至（７）に示す変形例は、適宜に組み合わせるようにしてもよい。
【産業上の利用可能性】
【００８４】
本発明は、パーソナルコンピューターやワードプロセッサーなどの各種装置のキーボードあるいは各種製品のリモコンやスイッチ盤などのように、表面に凹凸のある物体上のダストを除去する清掃を行う際に利用することができる。
【符号の説明】
【００８５】
１０      掃除具
１２      ケース
１４      インナー
１６      上方部材
１８      下方部材
２０      ブレード群
２２      ブレード
２４      ブレードユニット
２６      ブレード列
１００      不織布
２００      キーボード
２０２      キースイッチ
２０４      溝部
【図１】
2010227481.tif 000003
【図２】
2010227481.tif 000004
【図３】
2010227481.tif 000005
【図４】
2010227481.tif 000006
【図５】
2010227481.tif 000007
【図６】
2010227481.tif 000008
【図７】
2010227481.tif 000009
【図８】
2010227481.tif 000010
【図９】
2010227481.tif 000011
【図１０】
2010227481.tif 000012
【図１１】
2010227481.tif 000013
【図１２】
2010227481.tif 000014
【図１３】
2010227481.tif 000015